(57)【要約】      （修正有）【課題】スピン性能を向上することが可能なクラブヘッドの提供。【解決手段】フェース部１０と、フェース部１０に形成された複数のスコアライン２０と、フェース部１０に形成された複数の溝３０と、を備えたゴルフクラブヘッドであって、複数の溝３０のそれぞれは、トウ−ヒール方向に延びており、複数の溝３０のそれぞれは、その深さがトウ−ヒール方向に周期的に変化している。【選択図】図１
2016106904.tif 000002
【特許請求の範囲】
【請求項１】
フェース部と、
前記フェース部に形成された複数のスコアラインと、
前記フェース部に形成された複数の溝と、
を備えたゴルフクラブヘッドであって、
前記複数の溝の各溝は、トウ−ヒール方向に延びており、
前記複数の溝の各溝は、その深さがトウ−ヒール方向に周期的に変化している、
ことを特徴とするゴルフクラブヘッド。
【請求項２】
請求項１に記載のゴルフクラブヘッドであって、
前記複数の溝の各溝は、そのトウ−ヒール方向の断面形状が、周期的な波形形状又は山形形状である、
ことを特徴とするゴルフクラブヘッド。
【請求項３】
請求項１に記載のゴルフクラブヘッドであって、
前記複数の溝の各溝は、
その延設方向と直交する方向で前記フェース部の上部側となる上縁と、前記フェース部の下部側となる下縁とを有し、
前記延設方向と直交する方向で、前記上縁側に最深部を有し、
前記上縁から前記最深部に向かって深くなるように連続的に深さが変化し、かつ、
前記最深部から前記下縁に向かって浅くなるように連続的に深さが変化している、
ことを特徴とするゴルフクラブヘッド。
【請求項４】
請求項１に記載のゴルフクラブヘッドであって、
前記複数の溝の各溝は、前記フェース部の正面視で、トウ−ヒール方向に周期的に変化した形状を有する、
ことを特徴とするゴルフクラブヘッド。
【請求項５】
請求項４に記載のゴルフクラブヘッドであって、
前記複数の溝の各溝の前記形状は、単位形状間のトウ−ヒール方向のピッチが１ｍｍ〜１０ｍｍである、
ことを特徴とするゴルフクラブヘッド。
【請求項６】
フェース部と、
前記フェース部に形成された複数のスコアラインと、
前記フェース部に形成された複数の溝と、
を備えたゴルフクラブヘッドであって、
前記複数の溝の各溝は、前記フェース部の正面視で、トウ−ヒール方向に周期的に変化した形状を有し、
前記複数の溝の各溝は、互いに平行であり、
前記複数の溝の各溝は、その延設方向と直交する方向で前記フェース部の上部側に最深部を有する、
ことを特徴とするゴルフクラブヘッド。
【発明の詳細な説明】
【技術分野】
【０００１】
本発明はゴルフクラブヘッドに関するものである。
【背景技術】
【０００２】
一般に、ゴルフクラブヘッドのフェース部にはスコアラインが形成されている。このスコアラインは、打球のバックスピン量を増大させたり、或いは、雨天時やラフからのショットの場合に、打球のバックスピン量が著しく低減することを抑制する効果がある。しかし、スコアラインだけでは、打球に対するスピン性能の向上に限界がある。そこで、フェース部にスコアラインよりも浅い溝を更に形成したゴルフクラブヘッドが提案されている（例えば特許文献１〜３）。
【先行技術文献】
【特許文献】
【０００３】
【特許文献１】特開２００９−２６１８８６
【特許文献２】特開２０１３−２３０２８０
【特許文献３】米国特許出願公開第２０１３／０３４４９８４号明細書
【発明の概要】
【発明が解決しようとする課題】
【０００４】
しかし、従来のゴルフクラブヘッドではスピン性能の向上の点で更なる改善の余地がある。
【０００５】
本発明の目的は、スピン性能を向上することにある。
【課題を解決するための手段】
【０００６】
本発明によれば、フェース部と、前記フェース部に形成された複数のスコアラインと、前記フェース部に形成された複数の溝と、を備えたゴルフクラブヘッドであって、前記複数の溝の各溝は、トウ−ヒール方向に延びており、前記複数の溝の各溝は、その深さがトウ−ヒール方向に周期的に変化している、ことを特徴とするゴルフクラブヘッドが提供される。
【発明の効果】
【０００７】
本発明によれば、スピン性能を向上することができる。
【図面の簡単な説明】
【０００８】
【図１】本発明の一実施形態に係るゴルフクラブヘッドの外観図及び部分拡大図。
【図２】（Ａ）はスコアライン及び溝の断面図及び部分拡大図、（Ｂ）は切断面の部分斜視図。
【図３】（Ａ）はフェース部の部分拡大図、（Ｂ）は図３（Ａ）のII-II線断面図、（Ｃ）はフェース部の部分拡大図、（Ｄ）は図３（Ｂ）のIII-III線断面図。
【図４】（Ａ）〜（Ｃ）はスピン性能の説明図。
【図５】（Ａ）及び（Ｂ）は溝の正面視形状の他の例を示す図、（Ｃ）及び（Ｄ）は溝の断面形状の他の例を示す図。
【発明を実施するための形態】
【０００９】
図１は本発明の一実施形態に係るゴルフクラブヘッド１の外観図及び部分拡大図である。同図の例はアイアン型のゴルフクラブヘッドの製造に本発明を適用した例を示す。本発明は、アイアン型のゴルフクラブヘッド、特に、ミドルアイアン、ショートアイアン、ウェッジ型のゴルフクラブヘッドの製造に好適である。具体的には、ロフト角が３０度以上７０度以下、ヘッド重量が２４０ｇ以上３２０ｇ以下のゴルフクラブヘッドの製造に好適である。しかし、本発明はウッド型やユーティリティー型（ハイブリッド型）のゴルフクラブヘッドの製造にも適用可能である。
【００１０】
ゴルフクラブヘッド１は、フェース部（打撃面）１０及びホゼル部４０を備える。ホゼル部４０には不図示のシャフトが装着される。
【００１１】
フェース部１０には複数のスコアライン２０と、複数の溝３０とが形成されている。図１〜図３（Ｂ）を参照してスコアライン２０及び溝３０について説明する。図２（Ａ）は図１のI-I線断面図及び部分拡大図であり、図２（Ｂ）はのI-I線切断面の部分斜視図である。図３（Ａ）はフェース部１０の部分拡大図であり、図３（Ｂ）は図３（Ａ）のII-II線断面図である。
【００１２】
複数のスコアライン２０はＤ２方向に配列されている。各々のスコアライン２０はトウ−ヒール方向（矢印Ｄ１方向）に延設された、互いに平行な直線状の溝である。矢印Ｄ２は、フェース部１０の上下方向を示し、上側、下側とはゴルフクラブヘッド１のソール部を接地したときの上側、下側を意味する。本実施形態の場合、スコアライン２０の延設方向と矢印Ｄ２方向とは直交している。なお、図１のI-I線はＤ２方向と平行である。
【００１３】
本実施形態の場合、各々のスコアライン２０の配設間隔（ピッチ）は等間隔（等ピッチ）であるが、配設間隔が異なっていてもよい。本実施形態において、スコアライン２０の断面形状は、その長手方向の両端部（トウ側端部、ヒール側端部）を除き、同じである。また、各々のスコアライン２０の断面形状は同じである。
【００１４】
スコアライン２０は、一対の側壁２１と、底壁２２とを有し、その断面形状はＤ２方向の中心線に対して対称な台形状に形成されている。なお、スコアライン２０の断面形状は台形状に限られず、Ｖ字状等、他の形状でもよい。スコアライン２０の縁２３には丸みが形成されている。丸みの半径は例えば、０．０５ｍｍ以上０．３ｍｍ以下である。
【００１５】
スコアライン２０の深さ（底壁２２とフェース部１０の表面Ｓとの距離）は０．３ｍｍ以上が好ましい。表面Ｓは、フェース部１０にスコアライン２０や溝３０を埋めた場合の仮想面であり、フェース部１０のうちの最も高い位置にある部分（本実施形態では溝３０の縁やスコアライン２０の縁）を包含する仮想面である。
【００１６】
ゴルフクラブヘッド１を競技用とする場合、ルールを充足する点で、深さＤｓは０．５ｍｍ以下とする。スコアライン２０の幅（３０度測定法による幅）は０．６ｍｍ以上が好ましい。ゴルフクラブヘッド１を競技用とする場合、ルールを充足する点で、幅は０．９ｍｍ以下とする。
【００１７】
複数の溝３０はＤ２方向に配列されている。各々の溝３０はトウ−ヒール方向に延設された溝である。本実施形態の場合、溝３０は非直線状の溝であるが、その延設方向はトウ−ヒール方向であり、したがって、その延設方向はスコアライン２０と平行である。
【００１８】
溝３０は、その幅Ｗがスコアライン２０の幅よりも狭い細溝である。Ｄ２方向において隣接するスコアライン２０間には、複数の溝３０が形成されている。
【００１９】
図１の部分拡大図は、フェース部１０の正面視での溝３０の形状を示している。本実施形態の場合、溝３０はＤ１方向に周期的に変化した形状を有しており、特に、Ｄ１方向に周期的に湾曲した波形形状をなしている。換言すると、溝３０は、単位形状がＤ１方向に繰り返し連続的に形成された形状を有しており、本実施形態の場合、単位形状は正弦波形状をなしている。単位形状間のＤ１方向のピッチＰ１は、例えば、１ｍｍ〜１０ｍｍである。なお、各溝３０はＤ１方向に連続した一本の溝を形成しているが、途中で途切れていてもよい。また、溝３０は、フェース部１０の全域に渡って形成されてもよいし、一部に形成されてもよい。一部に形成する場合、例えば、フェース部１０の、Ｄ２方向中央部から下部に渡って形成してもよい。
【００２０】
各々の溝３０は、互いに平行に形成されている。また、各々の溝３０は、Ｄ１方向における周期的な湾曲の位相も同位相とされている。換言すると、各々の溝３０は、Ｄ１方向における山の位置と谷の位置とが同じである。
【００２１】
図２（Ａ）及び図２（Ｂ）に示すように、溝３０はＤ２方向上部側に位置する平坦な壁３１と、Ｄ２方向下部側に位置する平坦な壁３２と、から構成されており、溝３０の延設方向に直交する断面形状は三角形状である。溝３０の最深部３３は、幅ＷのＤ２方向の中心線よりも上部側に位置しており、溝３０の断面形状は幅ＷのＤ２方向の中心線に対して非対称な三角形状である。
【００２２】
幅Ｗは、溝３０の上縁ＵＥと下縁ＬＥとの間の距離である。上縁ＵＥは溝３０の縁のうち、フェース部１０の上部側の縁であり、下縁ＬＥはフェース部１０の下部側の縁である。幅Ｗは例えば１００μｍ〜８００μｍである。Ｄ２方向に隣接する溝３０間のピッチＰ２は幅Ｗと同じでもよいし幅Ｗよりも長くてもよい。ピッチＰ２は例えば１００μｍ〜８００μｍである。ここでのピッチＰ２の数値は、スコアライン２０を挟まない場合の数値である。Ｄ２方向に隣接するが、スコアライン２０を挟む溝３０間のピッチは、これとは別に設定することができる。
【００２３】
溝３０の深さ（最深部３３とフェース部１０の表面Ｓとの距離）は例えば１０μｍ〜４０μｍである。本実施形態の場合、溝３０の深さは上縁ＵＥから最深部３３に向かって徐々に深くなり、最深部３３から下縁ＬＥに向かって徐々に浅くなる。
【００２４】
ここで、図３（Ａ）はフェース部１０の部分拡大図であり、フェース部１０の正面視での溝３０の形状を示している。図３（Ｂ）は図３（Ａ）のII-II線断面図である。II-II線はＤ１方向と平行であり、図３（Ｂ）は溝３０のＤ１方向の深さの変化を示している。なお、図３（Ｂ）は、溝３０の深さの変化が分り易いように示しており、実際の縮尺と必ずしも一致するわけではない。
【００２５】
本実施形態の溝３０の構成の場合、各溝３０の深さは図３（Ｂ）に示すようにトウ−ヒール方向に周期的に変化している。詳しく説明すると、溝３０の深さは、II-II線が通る位置が、最深部３３に近い位置では相対的に深くなり、最深部３３から遠い位置では相対的に浅くなる。
【００２６】
同図の例の場合、溝３０の深さのトウヒール方向の変化は、深さ無し（ａ点）→深い（ｂ点）→浅い（ｃ点）→深い（ｄ点）．．．と変化する。
【００２７】
なお、深さの変化を見る切断線の取り方や、溝３０間のピッチＰ２が狭い場合に、深さの変化を見る切断線が複数の溝３０を跨る場合があるが、溝３０毎に見た場合、その深さの変化はやはり周期的に変化する。
【００２８】
例えば、図３（Ｃ）に示すように、切断線をIII-III線とした場合、III-III線は溝３０nと、この溝に隣接する溝３０n+1に跨り、その断面は図３（Ｄ）に示す形状となる。なお、図３（Ｃ）及び図３（Ｄ）において、溝３０nと溝３０n+1とを視覚的に区別し易くするため、溝３０n+1は破線で図示している。
【００２９】
このように切断線を設定した場合であっても、溝３０nに着目すると、深さのトウヒール方向の変化は、深さ無し（ａ点）→深い（ｂ点）→浅い（ｃ点）→深い（ｄ点）→深さ無し（ｅ点）．．．と変化する。
【００３０】
次に、溝３０によるスピン性能の向上について説明する。打撃時にゴルフボールはフェース部１０の表面に押し潰されるように変形するが、アプローチショットの場合のように打撃力が小さい場合、変形量は小さくなる。このとき、ゴルフボールとフェース部１０との接触は点接触に近くなる。従って、接触点を増加することでスピン性能の向上を図ることができる。
【００３１】
本実施形態の場合、上述したとおり、溝３０の深さはトウ−ヒール方向に周期的に変化している。これは打撃時の接触点増加に寄与する。図４（Ａ）は溝３０の深さがトウ−ヒール方向に変化しない場合を示し、図４（Ｂ）は本実施形態のように溝３０の深さがトウ−ヒール方向に周期的に変化する場合を示す。打撃力が小さい場合、図４（Ａ）の例では、ゴルフボールＧＢとフェース部１０との接触が１点での接触に近くなる。一方、図４（Ｂ）の例ではゴルフボールＧＢとフェース部１０との接触が多点での接触になり易い。したがって、スピン性能の向上を図ることができる。
【００３２】
また、本実施形態の溝３０は、フェース部１０の正面視の形状が、Ｄ１方向に周期的に湾曲した波形形状をなしている。このため、例えば、ダウンブロー気味にゴルフボールＧＢを打ち込んだ時に、図４（Ｃ）に示すように、ゴルフボールＧＢが溝３０の弧状の上縁部分ＣＰにひっかかって、より高いバックスピン量を得られる。
【００３３】
以上の通り、本実施形態のゴルフクラブヘッド１によれば、打撃時の接触点を増加させてスピン性能を向上することができる。
【００３４】
本実施形態では、フェース部１０の正面視で、溝３０の形状がＤ１方向に周期的に湾曲した波形形状をなしている構成を例示したが、山形形状であってもよい。図５（Ａ）はその一例を示し、単位形状を楕円弧形状として山形形状とした例を示している。図５（Ｂ）は他の一例を示し、単位形状を三角形状として山形形状とした例を示している。
【００３５】
また、本実施形態では、溝３０の延設方向に直交する断面形状を三角形状としたが、他の形状も採用可能である。図５（Ｃ）はその一例を示し、壁３１及び壁３２を互いに連続した湾曲面にしたものであり、輪郭線が弧状である。最深部３３はＤ２方向の中心線よりも上部側に位置している。図５（Ｄ）は他の一例を示し、壁３１を平坦面とし、壁３２を湾曲面としたものである。最深部３３はＤ２方向の中心線よりも上部側に位置している。このように壁３１及び３２のいずれか一方を湾曲面としてもよい。また、溝３０の延設方向に直交する断面形状は台形形状等であってもよい。
【００３６】
次に、ゴルフクラブヘッド１の製造方法、特に、溝３０の形成工程について説明する。溝３０は、例えば、切削加工又はレーザ加工で形成することができる。切削加工の場合、特に、ミーリング加工による切削跡として溝３０を形成することができる。なお、スコアライン２０は、例えば、鍛造、鋳造、切削加工、レーザ加工により形成することができる。また、フェース部１０はゴルフクラブヘッド１に一体成形されていてもよいし、フェース部１０を構成するフェース部材と、ヘッド本体とを別部材として接合してもよい。
【００３７】
なお、フェース部１０に溝３０を形成すると、フェース部１０が磨耗し易くなる場合がある。そのため、溝３０の形成後、フェース部１０の硬度を硬くする表面処理を行うことが好ましい。このような表面処理としては、浸炭処理、窒化処理、軟窒化処理、ＰＶＤ（Physical Vaper Deposition）処理、イオンプレーティング、ＤＬＣ（ダイヤモンド  ライク  カーボン）処理、めっき処理等が挙げられる。特に、浸炭処理や窒化処理といった、表面に別の金属層を形成せず、表面を改質する表面処理が好ましい。
【符号の説明】
【００３８】
１  ゴルフクラブヘッド、１０  フェース部、２０  スコアライン、３０  溝
【図１】
2016106904.tif 000003
【図２】
2016106904.tif 000004
【図３】
2016106904.tif 000005
【図４】
2016106904.tif 000006
【図５】
2016106904.tif 000007